(57)【要約】【課題】病院等の施設からの空気に含まれるウイルス等を不活化処理して該空気を確実に浄化でき、実用的で社会的貢献度も高い対感染症空気浄化装置を提供する。【解決手段】浄化すべき空気を導入口から導入し該空気を処理室で浄化処理して排出する空気浄化装置であって、導入口２６に連通する処理室１２を有するケース体１４と、浄化すべき空気を導入口２６から強制的に処理室１２に送る送気装置１６と、処理室１２を通過する該空気を加熱する加熱部１８と、を含み、処理室１２には、通過する該空気の流れを一部妨げながら遅延通過させる遅延手段２０と、通過する該空気との接触面積を大きく確保する接触面積確保手段２２と、加熱部１８により加熱されて熱を保持し、通過する空気に直接に接触する熱保持手段２４と、が設けられたことを特徴とする対感染症空気浄化装置１０から構成される。【選択図】図１
0003148325.tif 000002
【実用新案登録請求の範囲】
【請求項１】
浄化すべき空気を導入口から導入し該空気を処理室で浄化処理して排出する対感染症空気浄化装置であって、
導入口に連通する処理室を有するケース体と、
浄化すべき空気を導入口から強制的に処理室に送る送気装置と、
処理室を通過する該空気を加熱する加熱部と、を含み、
処理室には、通過する該空気の流れを一部妨げながら遅延通過させる遅延手段と、
通過する該空気との接触面積を大きく確保する接触面積確保手段と、
加熱部により加熱されて熱を保持し、通過する空気に直接に接触する熱保持手段と、が設けられたことを特徴とする対感染症空気浄化装置。
【請求項２】
遅延手段は、処理室を上下方向に複数の区画に仕切るように所定間隔で並列された複数の仕切り板を有し、
該仕切り板は、該空気を通過させる通路孔であって、下位の区画側から上位の区画側へ該空気を直上に通過させないように、上下の仕切り板どうしで相対的にずれた位置に設けられた通路孔を有する請求項１記載の対感染症空気浄化装置。
【請求項３】
接触面積確保手段は、所定の区画内に立体的に張り巡らされた網体を含む請求項２記載の対感染症空気浄化装置。
【請求項４】
接触面積確保手段は、所定の区画内に複数のリング状の金属線を互いに間隔をあけて並列状に連結するか、又は金属線を螺旋状に形成して構成されたコイル状線条体を含む請求項２又は３記載の対感染症空気浄化装置。
【請求項５】
接触面積確保手段は、網体が設けられた区画と、コイル状線条体が設けられた区画と、が交互に設けられた請求項３又は４記載の対感染症空気浄化装置。
【請求項６】
遅延手段は、所定の区画内で下の仕切り板の通路孔から通過してくる該空気を蛇行させて流し、上の仕切り板の通路孔から排出されるように案内する蛇行通路を含む請求項２ないし５のいずれかに記載の対感染症空気浄化装置。
【考案の詳細な説明】
【技術分野】
【０００１】
本考案は、例えば、病院や公共施設等において、ウイルス等の有害物質を含む空気を浄化して病気感染を防止できる対感染症空気浄化装置に関する。
【背景技術】
【０００２】
近時、例えば、新型インフルエンザ、重症急性呼吸器症候群（ＳＡＲＳ）の病原体となる新種のコロナウイルス、その他のウイルス等によって発病する感染症による大きな被害の実際に発生したり、又は各地で発生するおそれが高く、世界的にも問題となっている。ウイルスは、空気感染（飛沫核感染）、飛沫感染、接触感染等の感染経路で人に感染するが、特に、空気感染するタイプのウイルスでは、該ウイルスが長時間空気中に浮遊し感染者と同じ部屋にいるだけで感染するおそれが高い。さらには、感染者が収容されるフロアから病院内全体に感染が拡大するのにとどまらず、ウイルス等を含む空気が病院から排気されることにより病院外部側の周辺の住人にも感染し、被害が拡大するおそれがある。よって、ウイルスの感染拡大対策が早急に切望されている。従来、空気中に浮遊するウイルス等を処理する技術として、例えば、室内の空気を吸引してフィルタを介して空気中の細菌やウイルスを不活性化する方法や、圧力容器内で空気を加熱する方法等が提案されている。例えば、特許文献１では、調湿した空気を断熱圧縮することを主な加熱手段として、殺菌に必要な温度と湿度に一定時間維持する圧力容器と、殺菌処理の終了した空気を断熱膨張させ圧縮前に近い温度及び圧力にまで下げる中間容器、及び居住に適した湿度に空調する調節部とからなる空気殺菌装置が開示されている。
【０００３】
【特許文献１】特開２００１−２３８９４３公報
【考案の開示】
【考案が解決しようとする課題】
【０００４】
しかしながら、フィルタを利用する方法では、フィルタによるウイルス等の捕捉、不活化の確実性が低い場合があるとともに、長期間使用するとフィルタの交換が必要になる等定期的なメンテナンスを行う必要があり煩雑であり実用性に乏しかった。また、特許文献１の空気殺菌装置では、必要な殺菌条件を満たすためには吐出口を閉じて圧力容器を密閉して該殺菌条件を間欠的に創出し、所定の時間の処理後に圧力容器から中間容器に空気を解放する必要があるから、バッチ処理状に空気が殺菌処理されることとなり、病院等から連続的に排気されてくる空気を連続的に処理することが困難で実用性に乏しいおそれがあった。さらに圧力容器等を堅牢に製造する必要があり製造コストも高く、装置全体が大型化することから簡便に設置することは困難である等の問題があった。
【０００５】
本考案は、上記従来の課題に鑑みてなされたものであり、その一つの目的は、病院等の施設からの空気に含まれるウイルス等を不活化して該空気を確実に浄化できるとともに連続的な空気浄化を図り、実用的で社会的貢献度も高い対感染症空気浄化装置を提供することにある。
【課題を解決するための手段】
【０００６】
上記課題を解決するために本考案は、浄化すべき空気を導入口から導入し該空気を処理室で浄化処理して排出する対感染症空気浄化装置であって、導入口２６に連通する処理室１２を有するケース体１４と、浄化すべき空気を導入口２６から強制的に処理室１２に送る送気装置１６と、処理室１２を通過する該空気を加熱する加熱部１８と、を含み、処理室１２には、通過する該空気の流れを一部妨げながら遅延通過させる遅延手段２０と、通過する該空気との接触面積を大きく確保する接触面積確保手段２２と、加熱部１８により加熱されて熱を保持し、通過する空気に直接に接触する熱保持手段２４と、が設けられたことを特徴とする対感染症空気浄化装置１０から構成される。例えば遅延手段２０と接触面積確保手段２２と熱保持手段２４とを１つの部材で兼用させて構成してもよいし、それぞれ別々の部材を設けて構成してもよい。特に熱保持手段２４は、遅延手段２０や接触面積確保手段２４を形成する部材と兼用させて実現すると構成が簡単でかつ空気を直接加熱する際の効率も良い。接触面積確保手段２２は、例えば、後述のように網体や螺旋状のコイル状線条体、その他多孔質構造や複数のフィン、凹凸を設けた構造等その他任意の構造でもよい。
【０００７】
また、遅延手段２０は、処理室１２を上下方向に複数の区画に仕切るように所定間隔で並列された複数の仕切り板３６を有し、該仕切り板３６は、該空気を通過させる通路孔であって、下位の区画側から上位の区画側へ該空気を直上に通過させないように、上下の仕切り板どうしで相対的にずれた位置に設けられた通路孔３８を有することとしてもよい。通路孔３８の大きさや個数は任意でよい。
【０００８】
また、接触面積確保手段２４は、所定の区画内に立体的に張り巡らされた網体５０、５０ａ、５０ｂを含むこととしてもよい。
【０００９】
また、接触面積確保手段２４は、所定の区画内に複数のリング状の金属線を互いに間隔をあけて並列状に連結するか、又は金属線を螺旋状に形成して構成されたコイル状線条体５２、５２ａを含むこととしてもよい。
【００１０】
また、接触面積確保手段２４は、網体５０が設けられた区画と、コイル状線条体５２が設けられた区画と、が交互に設けられたこととしてもよい。網体５０が設けられた区画とコイル状線条体５２が設けられた区画とが１個ずつ交互に設けられていても良いし、網体５０が設けられた区画を複数形成した次にコイル状線条体５２が設けられた区画を形成してこれらを交互に設けても良い。
【００１１】
また、遅延手段２０は、所定の区画内で下の仕切り板の通路孔３８から通過してくる該空気を蛇行させて流し、上の仕切り板の通路孔３８から排出されるように案内する蛇行通路４６を含むこととしてもよい。蛇行通路４６は、例えば壁体等を形成して通路を形成してもよいし、蛇行させた管部材で形成してもよく、その他任意の構成でもよい。
【考案の効果】
【００１２】
本考案の対感染症空気浄化装置によれば、浄化すべき空気を導入口から導入し該空気を処理室で浄化処理して排出する対感染症空気浄化装置であって、導入口に連通する処理室を有するケース体と、浄化すべき空気を導入口から強制的に処理室に送る送気装置と、処理室を通過する該空気を加熱する加熱部と、を含み、処理室には、通過する該空気の流れを一部妨げながら遅延通過させる遅延手段と、通過する該空気との接触面積を大きく確保する接触面積確保手段と、加熱部により加熱されて熱を保持し、通過する空気に直接に接触する熱保持手段と、が設けられた構成であるから、処理室を通過させる際に、加熱部及び熱保持手段を介してウイルスや細菌等を不活化する加熱温度を確保しつつ、遅延手段により処理に必要な時間を確保するとともに、接触面積確保手段と熱保持手段とを協働させて該空気を全体的にむらなく効率良く加熱することができ、確実にウイルス等を不活化して空気を浄化し、無害な状態で排出することができる。さらに、浄化すべき空気を処理室を通過させるだけでウイルス等の不活化させる加熱温度と加熱時間が確保できるので連続的な空気の浄化処理を具現でき、実用性が高い。その結果、外部側へのウイルスや細菌等の感染拡大を良好に防止でき、社会的貢献度も大きい。
【００１３】
また、遅延手段は、処理室を上下方向に複数の区画に仕切るように所定間隔で並列された複数の仕切り板を有し、該仕切り板は、該空気を通過させる通路孔であって、下位の区画側から上位の区画側へ該空気を直上に通過させないように、上下の仕切り板どうしで相対的にずれた位置に設けられた通路孔を有する構成とすることにより、通路孔が設けられた仕切り板により、浄化すべき空気は下から上へ段階的に区画を一部妨げられながら遅延通過していくので、簡単な構成で遅延手段を具現できる。さらに、仕切り板を例えば金属で形成することで熱保持手段を兼用できたり、例えば、多数の通路孔を設けることで接触面積確保手段を兼用することもでき、処理室内構造の部材点数の減少、製造コストの低下等を図れる。
【００１４】
また、接触面積確保手段は、所定の区画内に立体的に張り巡らされた網体を含む構成とすることにより、簡単な構成で通過する空気をむらなく効率的に浄化処理することができる。さらに、網体を例えば金属で形成することで熱保持手段を兼用でき、処理室内構造の部材点数の減少、製造コストの低下等を図れる。
【００１５】
また、接触面積確保手段は、所定の区画内に複数のリング状の金属線を互いに間隔をあけて並列状に連結するか、又は金属線を螺旋状に形成して構成されたコイル状線条体を含む構成とすることにより、簡単な構成で通過する空気をむらなく効率的に浄化処理することができる。さらに、網体を例えば金属で形成することで熱保持手段を兼用できるとともに、処理室内構造の部材点数の減少、製造コストの低下等を図れる。
【００１６】
また、接触面積確保手段は、網体が設けられた区画と、コイル状線条体が設けられた区画と、が交互に設けられた構成とすることにおり、異なるパターンの接触面積確保手段で浄化すべき空気を通過させることで、より効率的に該空気を浄化処理することができる。
【００１７】
また、遅延手段は、所定の区画内で下の仕切り板の通路孔から通過してくる該空気を蛇行させて流し、上の仕切り板の通路孔から排出されるように案内する蛇行通路を含む構成とすることにより、通過する空気を蛇行させて流すことである程度遅延通過させることができ、簡単な構造で遅延手段を具現できる。
【考案を実施するための最良の形態】
【００１８】
以下、添付図面を参照しつつ本考案の対感染症空気浄化装置の実施の形態について説明する。本考案の対感染症空気浄化装置は、例えば、病院等の換気装置の排気部に接続されて、該病院から排気されるウイルスや細菌等を含む空気を浄化し、無害な状態で外部に排気する装置であり、外部へのウイルス等の空気感染を良好に防止できる。図１ないし図５は、本考案の対感染症空気浄化装置の第１の実施形態を示している。本実施形態において、図１、図２に示すように、対感染症空気浄化装置１０は、浄化すべき空気を導入口から導入し該空気を処理室で浄化処理して排出する装置であり、処理室１２を有するケース体１４と、送気装置１６と、加熱部１８と、を含み、処理室１２には、浄化すべき空気の遅延手段２０と、接触面積確保手段２２と、熱保持手段２４と、が設けられている。なお本実施形態では、空気の浄化とは、空気を高温加熱処理して少なくともウイルスを不活化処理することをいう。
【００１９】
ケース体１４は、内部に処理室１２を有するとともに、該処理室１２に連通した導入口と２６と、排出口２８と、が設けられている。図１、図２、図３に示すように、本実施形態では、ケース体１４は、例えば、耐熱性鉄板を縦長矩形箱状に組み付けて設けられており、略矩形状の底壁１５１と、該底壁１５１の周辺縁から立設して四周を囲む４つの側壁１５２と、上方を閉鎖した天壁１５３と、を有し、内部に形成される縦長立方体状の空間が処理室１２となる。ケース体１４の大きさは、例えば、平面視で縦横の大きさが１ｍ×１ｍ程度で、高さが２．４ｍ程度で設けられている。なおケース体の大きさは設置場所や処理能力等に応じて任意に設定されればよく、ケース体の形状も例えば円筒状等その他任意の形状でもよい。ケース体１４の下部側には、外側に向けて張り出し状に広がった安定支持部１４ａが一体的設けられており、安定支持部を介してケース体１４は地面ＧＬに安定的に自立して設置される。ケース体１４は、１つの側壁１５２の下部側に浄化すべき空気の導入口２６が設けられる一方で、天壁１５３に処理室１２で処理した空気の排出口２８が設けられている。排出口２８には、該排出口２８から雨水やごみ等が処理室１２内に入りこまないように覆い構造２９が設けられている。覆い構造２９は、ケース体の天壁外部側に該排出口２８を囲むように周壁２９１を立設してその上に屋根２９２を設けるとともに、周壁２９１の一部を網２９３で構成しており、その周壁２９１の網２９３から空気を外部へ排出させるようになっている。なお側壁１５１の下部側には後述の加熱部１８の位置に対応して内部の火炎の様子等を確認するための確認窓１５ａが設けられている。
【００２０】
送気装置１６は、浄化すべき空気を導入口２６から強制的に処理室１２内に送る空気強制導入手段である。図１に示すように、本実施形態では、送気装置１６は、例えば、一端側を処理室１２内に引き込むとともに他端側を図示しない病院の排気構造の排出部等に接続した導入管３０と、該導入管３０のケース体１４近接位置に介設されたファン装置３２と、を含む。そしてファン装置３２の回転羽根を回転駆動させて導入管３０を介して浄化すべき空気を処理室内に強制的に送り、処理室内から病院側への空気の逆流を防止しながら処理室１２から排出口２８へ向けて空気を通過させて排気させる。なお、導入管３０のファン装置３２近接位置であって、該ファン装置より空気流れ上流側には、逆止弁３４や防火ダンパ等を設けてもよく、この場合加熱部からの火が導入管３０を伝わって接続元の病院等が火事になるのを防止できる。逆止弁や防火ダンパ等は必ずしも設けなくても良く必要に応じて設ければよい。なお送気装置１６は上記構成に限らず、例えば、ブロワー装置等その他任意のものでも良い。
【００２１】
加熱部１８は、処理室１２を通過する空気を加熱する加熱手段であり、加熱部１８は処理室１２内部全体の加熱手段ともいえる。すなわち加熱部１８は処理室１２内に設けられる熱保持手段２４も加熱し得る。ウイルスを不活化するには例えば約７０〜１００℃以上の高温で、数秒間程度処理する必要があるが、加熱部１８は加熱温度を確保するための熱源である。図１に示すように、本実施形態では、加熱部１８は、例えば、処理室１２の底部側で導入口２６とは干渉しない位置に配置され、平面的に略均等に広い範囲にわたって火炎を上方に向けて数百℃以上の高温に加熱するガスバーナ装置等からなる。ガスバーナ装置は、例えばケース体１４外部から処理室１２内部に引き込まれたガス管１９に接続されており、図示しない燃料ガスボンベから燃料ガスが随時供給される。なお、加熱部１８は本実施形態のようにガスを熱源とするものに限らず、例えば、重油や灯油、電気等を熱源とした構成その他任意の加熱手段でもよい。
【００２２】
図１に示すように、遅延手段２０は、処理室１２内部を通過する空気の流れを一部妨げながら遅延通過させる手段である。遅延手段２０はウイルスの不活化処理に必要な加熱時間を確保するための手段ともいえる。よって空気の加熱時間の確保と連続的な空気の通過とを両立させて、空気浄化の連続処理を実現している。本実施形態では、遅延手段２０は、処理室１２の上下方向に所定間隔で並列された複数の仕切り板３６を含む。仕切り板３６は、例えば、耐熱性の鉄板からなり、面を上下に向けた略水平状態でケース体の側壁内面側に固定された係止部に載置するか又は側壁内部に溶接固定されて棚板状に配置され、処理室１２を複数の区画に仕切っている。仕切り板３６には空気を通過させる通路孔３８が１個又は複数個設けられており、該通路孔３８を介して該仕切り板３６により仕切られた上下の区画を連通している。さらに、通路孔３８は、上下の仕切り板３６どうしで相対的にずれた位置に設けられており、各区画では下位の区画側から上位の区画側へ空気を直上に（真っ直ぐ上方に）通過させないようになっている。すなわち、任意の１つの区画を仕切る上下の仕切り板３６では、下側の仕切り板の通路孔３８の真上に対応した上側の仕切り板では通路孔３８が形成されず流れを妨げるように壁面本体となる。本実施形態では、処理室１２は５つの仕切り板３６により６個の区画に仕切られており、下から順に第１〜第６区画４０１〜４０６とする。なお、導入口２６は第１区画４０１に臨ませてあり、導入口２６から送られる空気はまず第１区画４０１に導入されて下から順に第６区画まで上昇していき、第６区画４０６に設けられた排出口２８を介して最終的には外に排気される。なお、下から第１、第２、第５番目の仕切り板３６には、多数の通路孔３８が設けられており、通過する空気は多数の通路孔を通過する際に仕切り板３６との接触面積が大きく確保される。すなわちこれらの仕切り板３６は後述の接触面積確保手段２２を兼ねているといえる。一方、第３、第４番目の仕切り板３６には、それぞれ１つずつのみ通路孔３８が形成されており、第４区画４０４は空気の出入り口が１つとなっている。さらに、仕切り板３６は耐熱性鉄板からなるので加熱部１８により比較的早期に加熱されて熱を保持することから、通過する空気を直接に加熱するので仕切り板３６は後述の熱保持手段２４を兼ねているともいえる。
【００２３】
なお、処理室１２の第１区画４０１には、加熱部１８が配置されているとともに、加熱部１８の上に耐熱性の鉄製の金網４２が張設されており、該金網４２の上に熱容量の大きい石４４が敷設されている。石４４は、加熱部１８により加熱されて空気を加熱しうる。第２、第３、第５、第６区画には後述のように接触面積確保手段２２及び熱保持手段２４が配置される。第４区画４０４には、下側の仕切り板の通路孔３８をから該区画４０４内に通過してくる空気を蛇行させて流すように案内する蛇行通路４６が形成されている。蛇行通路４６は、上下を仕切る仕切り板３６から交互に突出した通路形成壁体４８により形成されている。蛇行通路４６は空気を蛇行させて通過させることにより該空気の遅延通過を実現している。すなわち、遅延手段２０は蛇行通路４６を含む。
【００２４】
図１に示すように、接触面積確保手段２２は、処理室１４内部を通過する空気との接触面積を確保する手段であり、熱保持手段２４と協働して通過する空気をむらなく効率的に加熱させて、空気中のウイルスの不活化を促進して確実な空気浄化処理を実現できる。本実施形態では、接触面積確保手段２２は、例えば、網体５０やコイル状線条体５２、及び上述の多数の通路孔３８が設けられた仕切り板３６を含む。
【００２５】
網体５０は、例えば、鉄等の耐熱性金属で設けられており、区画内に立体的張り巡らされている。本実施形態では網体５０は、第２区画４０２と第５区画４０５に設けられている。網体５０は、無数の網目で空気を分散通過させながら該空気を網体本体に接触させて空気との接触面積を大きく確保する。コイル状線条体５２は、例えば、鉄等の耐熱性金属線材で設けられており、該金属線を所定ピッチ間隔で螺旋状すなわちコイル巻き状に形成して構成されて、区画内に配置されている。コイル状線条体５２は、第３区画４０３と第６区画４０６に設けられている。コイル状線条体５２は、所定のピッチ間隔間に空気を分散通過させながら該空気を線条体本体に接触させて空気との接触面積を大きく確保する。コイル状線条体５２は網体５０と比較して空気の通過部が大きく形成され、網体とは異なった態様で空気と接触（空気の通過）を行わせる。なお、第４区画４０４を挟んではいるが、網体５０が設けられた区画４０２、４０３と、コイル状線条体５２が設けられた区画４０５、４０６と、が交互に設けられている。これにより、区画ごとにそれぞれ異なる態様で配置しているので、構造をあまり複雑化させることなく、それぞれの区画で空気の接触態様を変えて、効果的な空気中のウイルスの不活化を促進し、より確実な空気の浄化を期待できる。さらに、網体５０及びコイル状線条体５２は鉄等の耐熱性金属で形成されており加熱部１８により比較的早期に加熱され熱を保持することから、通過する空気を直接に加熱するので、網体５０及びコイル状線条体５２は熱保持手段２４を兼ねているともいえる。
【００２６】
熱保持手段２４は、処理室１２内に設けられ、加熱部１８により加熱されて熱を保持し、処理室１２内を通過する空気に直接に接触する手段である。熱保持手段２４は、処理室１２の略全域にわたって配置されて、導入口２６から排出口２８から排気されるまで略全体的にウイルスを不活化処理するのに必要な加熱温度を保持し、処理室１２略全域で不活化処理を行なえるようにしている。上述のように本実施形態では、熱保持手段２４は、遅延手段２０を構成する仕切り板３６、蛇行通路４６の通路形成壁体４８や接触面積確保手段２２を構成する網体５０やコイル状線条体５２により実現されている。すなわち、上述のように遅延手段２０と熱保持手段２４、接触面積確保手段２２と熱保持手段２４、又は遅延手段２０と接触面積確保手段２２と熱保持手段２４とを共通部材で兼用している。よって、処理室内構成を比較的簡素化でき、簡単に製造することができる。また、熱保持手段は伝熱性の高い鉄等の金属で形成されると、処理室内部を比較的早期に高温にして処理できる。
【００２７】
なお、上記の遅延手段２０、接触面積確保手段２２、熱保持手段２４の各構成は任意でよく、例えば仕切り板３６、網体５０、コイル状線条体５２等の数や位置等を含む設置構成は任意でよく、例えば、後述する図５、図６に示した実施形態のような設置構成でもよい。また、網体５０の太さや網目の大きさ等は任意でよい。また、コイル状線条体５２も金属線の太さや断面形状等も任意でよく、ピッチ間隔も任意もよい。図４に示すように、例えば、コイル状線条体５２は、断面略へ字状に曲げられた帯板状金属線材を螺旋状に形成して構成したものでもよい。この場合、金属線の断面へ字状の内側に処理室内を通過する空気が滞留しやすく、遅延手段を兼用でき、効率的な加熱作用が期待できる。また、例えばコイル状線条体５２は、複数のリング状の金属線を互いに間隔をあけて並列状に連結して構成してもよい。また、１つの区画内に１種の網体やコイル状線条体を設けてもよく、複数種類の網体やコイル状線条体を設けても良い。また、全ての区画に同一の網体又はコイル状線条体を配置してもよい。
【００２８】
次に、本実施形態に係る対感染症空気浄化装置１０の作用について説明する。例えば、対感染症空気浄化装置１０の導入管３０をウイルス感染者等が入院している病院等の換気設備の排気部（図示せず）に接続しておく。加熱部１８のガスバーナ装置を点火すると、金網を介して石４４が加熱されるとともに、遅延手段２０兼熱保持手段２４を構成している仕切り板３６及び接触面積保持手段２２兼熱保持手段２４を構成する網体５０、コイル状線条体５２等を含む処理室１２内部全体が高温に加熱される。なお、底部側に加熱部１８が配置されているので、上部側にしたがって次第に温度が低下している。送気装置１６を稼働させて該病院等からのウイルス等に汚染された浄化すべき空気を導入口２６から処理室１２内に導入する。処理室１２内に導入された該空気は、仕切り板３６によりその流れＦを一部妨げられつつ下位側から上位側の区画へ段階的に遅延通過される。この際、該空気は加熱部により加熱された網体５０やコイル状線条体５２と大きな面積で接触することからむらなくかつ効率的に加熱されながら通過していく。このように高温で加熱されながら所要時間をかけて処理室内を上昇してきた空気は無害な状態に処理されて、最終的には例えば約１００℃の温度で排出口２８から排出される。これにより、処理室を通過させるだけでウイルス等を確実に不活化処理できる加熱温度、時間を十分に確保して処理できる結果、確実に空気を無害な状態に浄化して大気へ放出でき感染拡大を良好に防止できるとともに、連続的な空気の浄化処理を実現でき実用性が高い。
【００２９】
次に、図５を参照しつつ本考案の対感染症空気浄化装置の第２の実施形態について説明する。第１実施形態と同一部材には同一符号を付し、その詳細な説明は省略する。図５に示すように、本実施形態に係る対感染症空気浄化装置１０ａは、処理室１２を備えたケース体１４と、送気装置１６と、加熱部１８と、を含み、処理室１２には、遅延手段２０と、接触面積確保手段２２と、熱保持手段２４と、が設けられている点は第１の実施形態と略同じ構成であるが、本実施形態では、処理室内部の具体的な配置構成が異なっている。詳細には、多数の通路孔３８が設けられた仕切り板の数が第１実施形態よりも多く配置されており、例えば、処理室１２は１０個の仕切り板３６により１１個の区画に仕切られている。なお、第１区画は上記実施形態と略同じ構成であるが、第２〜第１１区画の高さが略１／２程度となっている。同時に、区画内には網体５０やコイル状線条体５２、蛇行通路４６等が設けられておらず、多数の通路孔３８が設けられた仕切り板３６を複数配置することのみにより、遅延手段２０と接触面積確保手段２２と熱保持手段２４とを兼用している。本実施形態でも、上下の仕切り板３６どうしでは、通路孔３８が互いにずれた位置に設定されており、下位の区画側から上位の区画側に通過する空気を直上に（真っ直ぐ上方に）通過させず、かつ該空気と仕切り板３６と接触するようになっている。この第２実施形態でも第１実施形態同様に、空気を確実かつ連続的に浄化することができる等の作用効果を期待できる。また、第１実施形態のものと比較して比較的シンプルな構造で簡単に製造することができる。
【００３０】
次に、図６を参照しつつ本考案の対感染症空気浄化装置の第３の実施形態について説明する。第１、第２実施形態と同一部材には同一符号を付し、その詳細な説明は省略する。図６に示すように、本実施形態に係る対感染症空気浄化装置１０ｂは、処理室１２を備えたケース体１４と、送気装置１６と、加熱部１８と、を含み、処理室１２には、遅延手段２０と、接触面積確保手段２２と、熱保持手段２４と、が設けられている点は第１、第２の実施形態と略同じ構成であるが、本実施形態では、処理室内部の具体的な配置構成が異なっている。詳細には、処理室は１６個の仕切り板３６により１８個の区画に仕切られている。なお、第１区画は上記実施形態とは若干大きさ等が異なっているが略同じ構成であり、各第２〜第１８区画の高さは第２実施形態のものよりも狭く形成されている。所定の区画内には第１実施形態同様に網体５０やコイル状線条体５２が設けられている。具体的には、第２、第３、第４、第８、第９、第１０、第１３区画に網体５０ａ、５０ｂが設けられており、第６、第１２区画にはコイル状線条体５２ａが設けられている。本実施形態では、第２、第４、第８、第１０、第１３区画に配置される網体５０ａと第３、第９区画に設けられる網体５０ｂとは網目が異なるパターンのもので形成されており、異なる網目パターンの網体５０ａ、５０ｂを交互の区画に配置されている。コイル状線条体５２ａは例えば、ケース体１４の外に配置された電源５４に接続され電気が通電されて発熱する電気ヒータからなり補助的な加熱源（加熱部）を構成している。これによって、より確実に空気の加熱を行えるとともに、例えば、ケース体１２の底部に配置した加熱部１８が仮に故障した場合でも該電気ヒータからなるコイル状線条体５２ａによって加熱状態を維持できる。下から１第１、第２、第３、第７、第８、第９番目の仕切り板３６は、多数の通路孔３８が設けられており、分散状に空気を通過させうる。それ以外の仕切り板３６にはそれぞれ通路孔２８が１個のみ設けられており、複数の区画を介して蛇行状の通路を構成し通過する空気を蛇行状に通過させるようになっている。この第３実施形態でも第１、第２実施形態同様に、空気を確実かつ連続的に浄化することができる等の作用効果を期待できる。また、第１、第２実施形態のものと比較して比較的構造は複雑となるが、ウイルス等の不活化の確実性が向上し、より確実に空気の浄化を期待できる。
【００３１】
以上説明した本考案の対感染症空気浄化装置は、上記した実施形態のみの構成に限定されるものではなく、実用新案登録請求の範囲に記載した本考案の本質を逸脱しない範囲において、任意の改変を行ってもよい。
【産業上の利用可能性】
【００３２】
本考案の対感染症空気浄化装置は、例えば、病院、一般家庭、公共施設、研究施設、ビル或いは畜舎等に接続して設けられ、空気中に含まれるウイルスや細菌等を不活化して無害な状態として排気でき、社会貢献度も高い。
【図面の簡単な説明】
【００３３】
【図１】本考案の第１の実施形態に係る対感染症空気浄化装置の縦断面説明図である。
【図２】図１の対感染症空気浄化装置の立面図である。
【図３】図１の対感染症空気浄化装置の平面図である。
【図４】接触面積確保手段の他の形態の要部拡大説明図である。
【図５】本考案の第２の実施形態に係る対感染症空気浄化装置の縦断面説明図である。
【図６】本考案の第３の実施形態に係る対感染症空気浄化装置の縦断面説明図である。
【符号の説明】
【００３４】
１０    対感染症空気浄化装置
１２    処理室
１４    ケース体
１６    送気装置
１８    加熱部
２０    遅延手段
２２    接触面積確保手段
２４    熱保持手段
２６    導入口
３６    仕切り板
３８    通路孔
４６    蛇行通路
５０    網体
５２    リング状線条体
【図１】
0003148325.tif 000003
【図２】
0003148325.tif 000004
【図３】
0003148325.tif 000005
【図４】
0003148325.tif 000006
【図５】
0003148325.tif 000007
【図６】
0003148325.tif 000008